(57)【要約】【課題】通過センサにチャタリングが発生している場合でも、記録媒体の通過の有無を簡単に且つ的確に判定することができるようにする。【解決手段】レジストクラッチをオンとしてレジストローラによる記録媒体の搬送を開始してから定着入口センサの検出位置を記録媒体が通過することが予測される通過予測時間の範囲内で予め設定された監視期間内で定着入口センサの出力信号が一度でもオンとなれば、記録媒体が通過しているものと判定し、監視期間内で定着入口センサの出力信号が常にオフであれば、記録媒体が通過していないものと判定する。特に監視期間の開始時点で定着入口センサの出力信号がオンであれば、記録媒体が通過しているものと判定する。【選択図】図５
2010175927.tif 000002
【特許請求の範囲】
【請求項１】
搬送経路上の所要の位置に設けられて搬送手段により搬送される記録媒体の通過の有無を示す信号を出力する通過センサと、この通過センサの出力信号に基づいて記録媒体が通過した否かを判定する制御手段とを有し、
前記制御手段が、前記搬送手段による記録媒体の搬送を開始してから前記通過センサの検出位置を記録媒体が通過することが予測される通過予測時間の範囲内で予め設定された監視期間内で前記通過センサの出力信号が一度でもオンとなれば、記録媒体が通過しているものと判定し、前記監視期間内で前記通過センサの出力信号が常にオフであれば、記録媒体が通過していないものと判定することを特徴とする記録媒体通過検知装置。
【請求項２】
前記制御手段は、前記監視期間の開始時点で前記通過センサの出力信号がオンであれば、記録媒体が通過しているものと判定することを特徴とする請求項１に記載の記録媒体通過検知装置。
【請求項３】
請求項１若しくは請求項２に記載の記録媒体通過検知装置を備え、
前記制御手段が、記録媒体が通過すべき状態で記録媒体が通過していないものと判定した場合に、前記搬送手段による記録媒体の搬送を停止することを特徴とする記録媒体搬送装置。
【請求項４】
前記監視期間の終了時点は、前記通過センサの上流側でジャムを起こした記録媒体を作業者が手で把持して抜き取り可能な所要長さ分だけ搬送経路上に記録媒体が残る位置で記録媒体を停止させることが可能なタイミングであることを特徴とする請求項３に記載の記録媒体搬送装置。
【請求項５】
電子写真方式により記録媒体に画像を形成するものであり、
請求項３若しくは請求項４に記載の記録媒体搬送装置を備えたことを特徴とする画像形成装置。
【請求項６】
前記通過センサが、記録媒体上のトナーを熱及び圧力により記録媒体に定着させる定着部の入口に設けられたことを特徴とする請求項５に記載の画像形成装置。
【請求項７】
記録媒体に形成する画像の解像度を切り替え可能なものであり、
前記制御手段が、画像の解像度に応じて前記監視期間の開始時点及び終了時点を設定することを特徴とする請求項５若しくは請求項６に記載の画像形成装置。
【請求項８】
記録媒体の両面に画像を形成するものであることを特徴とする請求項５乃至請求項７のいずれかに記載の画像形成装置。
【発明の詳細な説明】
【技術分野】
【０００１】
本発明は、通過センサの出力信号に基づいて記録媒体の通過の有無を検知する記録媒体通過検知装置並びにこれを備えた記録媒体搬送装置及び画像形成装置に関するものである。
【背景技術】
【０００２】
画像形成装置（例えばプリンタ、ファクシミリ装置、複写機、及び複合機など）においては、用紙がジャムを起こした場合に用紙の搬送を速やかに停止して装置の破損を防止するため、用紙の通過の有無を検知する通過センサが、搬送経路上の所要の位置に設けられているが、用紙が通過しているにも拘わらず用紙が通過していないものと誤って判断する誤検知が生じることがあり、この場合、無用に画像形成装置を停止させてしまう上に、ジャムを起こした用紙を取り除くジャム処理の作業を使用者に無駄に行わせることになるため、誤検知が生じない制御が望まれる。
【０００３】
このような誤検知を発生させる原因には、通過センサの出力信号がオン・オフを繰り返すチャタリングがあり、例えば、搬送路上に突き出た接触子が用紙に押されて変位することで用紙の通過を検知する接触式の通過センサでは、用紙にカールが発生したために通過センサから離れた位置を用紙が通る場合、用紙が通過センサの接触子を十分に押すことができないため、チャタリングが発生することがある。また、発光部からの光を用紙に反射させてその反射光を受光部で受光する非接触式の通過センサでも、紙粉等により受光面が汚れると、受光部の光電変換素子の出力レベルが全体的に小さくなるため、用紙が波打つように搬送されている場合には、光の反射面の角度が変化するのに応じて受光部の入射光の強度が変動することで、チャタリングが発生することがある。
【０００４】
一方、通過センサの出力信号に基づいて用紙の通過の有無を検知する方法としては、例えば、用紙の通過に伴う通過センサの出力信号がオフからオンへ切り替わるタイミング及びオンからオフへ切り替わるタイミングが、規定のタイミングと概ね一致するか否かで判定する方法が知られている（特許文献１参照）。
【０００５】
また、通過センサの出力信号を継続して監視して、その出力信号の変化状況に基づいて用紙の通過の有無を確定する、具体的には、通過センサの出力信号のオン状態が所定の判定時間継続した場合に用紙の通過があるものと判定し、通過センサの出力信号のオフ状態が所定の判定時間継続した場合に用紙の通過がないものと判定する方法が知られている（特許文献２参照）。
【特許文献１】特開平１−１２２８５７号公報
【特許文献２】特許第３３０２１００号公報
【発明の開示】
【発明が解決しようとする課題】
【０００６】
しかるに、前記特許文献１に開示された方法では、通過センサの出力信号のオフとオンとの切り替わりのタイミングのずれに多少の余裕を持たせているものの、用紙の通過時には常に出力信号がオンとなることを前提としているため、通過センサの出力信号がオン・オフを繰り返すチャタリング時には誤検知を避けることができない。また、異常な信号が現れた場合に、通過センサ自体に異常がないかを判別する処理に移行するようにしているが、これは用紙の通過に関する誤検知そのものを防止するものではない。
【０００７】
また、特許文献２に開示された方法では、通過センサのチャタリングに対して誤検知を防止する効果があるものの、通過センサの出力信号が頻繁にオン・オフを繰り返すチャタリング時には、通過センサの出力信号のオン状態の継続時間が所定の判定時間に達しないために、用紙の通過がないものと誤検知する場合があり、また、状況に応じて判定時間を調整するようにしているため、制御手順が煩雑になるという問題点がある。
【０００８】
本発明は、かかる問題点を鑑みてなされたものであり、その主な目的は、通過センサにチャタリングが発生している場合でも、記録媒体の通過の有無を簡単に且つ的確に判定することができるように構成された記録媒体通過検知装置並びにこれを備えた記録媒体搬送装置及び画像形成装置を提供することにある。
【課題を解決するための手段】
【０００９】
本発明の記録媒体通過検知装置並びにこれを備えた記録媒体搬送装置及び画像形成装置は、搬送経路上の所要の位置に設けられて搬送手段により搬送される記録媒体の通過の有無を示す信号を出力する通過センサと、この通過センサの出力信号に基づいて記録媒体が通過した否かを判定する制御手段とを有し、前記制御手段が、前記搬送手段による記録媒体の搬送を開始してから前記通過センサの検出位置を記録媒体が通過することが予測される通過予測時間の範囲内で予め設定された監視期間内で前記通過センサの出力信号が一度でもオンとなれば、記録媒体が通過しているものと判定し、前記監視期間内で前記通過センサの出力信号が常にオフであれば、記録媒体が通過していないものと判定する構成とする。
【発明の効果】
【００１０】
本発明によれば、通過センサの出力信号が頻繁にオン・オフを繰り返すチャタリング時でも、記録媒体の通過の有無を的確に検知することができる。そして、監視期間内で通過センサの出力信号のオン・オフの変化のみを監視すれば良く、制御手順を簡素化することができる。
【発明を実施するための最良の形態】
【００１１】
上記課題を解決するためになされた第１の発明は、搬送経路上の所要の位置に設けられて搬送手段により搬送される記録媒体の通過の有無を示す信号を出力する通過センサと、この通過センサの出力信号に基づいて記録媒体が通過した否かを判定する制御手段とを有し、前記制御手段が、前記搬送手段による記録媒体の搬送を開始してから前記通過センサの検出位置を記録媒体が通過することが予測される通過予測時間の範囲内で予め設定された監視期間内で前記通過センサの出力信号が一度でもオンとなれば、記録媒体が通過しているものと判定し、前記監視期間内で前記通過センサの出力信号が常にオフであれば、記録媒体が通過していないものと判定する構成とする。
【００１２】
これによると、通過センサの出力信号が頻繁にオン・オフを繰り返すチャタリング時でも、記録媒体の通過の有無を的確に検知することができる。そして、監視期間内で通過センサの出力信号のオン・オフの変化のみを監視すれば良く、制御手順を簡素化することができる。
【００１３】
この場合、監視期間の開始時点及び終了時点は、搬送手段による記録媒体の搬送開始時点を基準とし、この搬送開始時点から監視開始時点までの監視開始時間、及び搬送開始時点から監視終了時点までの監視終了時間をそれぞれ計時する計時手段を設ければ良い。また、通過センサの検出位置を記録媒体が通過するタイミングは記録媒体の搬送速度に応じて変化することから、監視期間の開始時点及び終了時点は、記録媒体の搬送速度に応じて設定すると良い。
【００１４】
前記課題を解決するためになされた第２の発明は、前記第１の発明において、前記制御手段は、前記監視期間の開始時点で前記通過センサの出力信号がオンであれば、記録媒体が通過しているものと判定する構成とする。
【００１５】
これによると、早期に記録媒体の通過を検知することができる。
【００１６】
前記課題を解決するためになされた第３の発明は、前記第１・第２の発明に係る記録媒体通過検知装置を備え、前記制御手段が、記録媒体が通過すべき状態で記録媒体が通過していないものと判定した場合に、前記搬送手段による記録媒体の搬送を停止する構成とする。
【００１７】
これによると、記録媒体がジャムを起こした場合に記録媒体の搬送を速やかに停止して装置の破損を防止することができる。
【００１８】
前記課題を解決するためになされた第４の発明は、前記第３の発明において、前記監視期間の終了時点は、前記通過センサの上流側でジャムを起こした記録媒体を作業者が手で把持して抜き取り可能な所要長さ分だけ搬送経路上に記録媒体が残る位置で記録媒体を停止させることが可能なタイミングである構成とする。
【００１９】
これによると、ジャムを起こした記録媒体を抜き取るジャム処理が容易になる。
【００２０】
なお、監視期間の開始時点は、実機で通過センサにチャタリングが発生している状況での実験に基づいて、通過センサの出力信号が高い確率でオンとなる領域内に入るように設定すると良く、これにより搬送速度の変動やスリップなどの変動要因で通過センサの検出位置を記録媒体が通過するタイミングが多少ずれることがあっても、このような誤差に関係なく、確実に記録媒体の通過を検知することができる。
【００２１】
前記課題を解決するためになされた第５の発明は、電子写真方式により記録媒体に画像を形成する画像形成装置であり、前記第３・第４の発明に係る記録媒体搬送装置を備えた構成とする。
【００２２】
前記課題を解決するためになされた第６の発明は、前記第５の発明において、前記通過センサが、記録媒体上のトナーを熱及び圧力により記録媒体に定着させる定着部の入口に設けられた構成とする。
【００２３】
このような構成では、実際には記録媒体が通過しているにも拘わらず記録媒体の通過がないと判断する誤検知が発生して、記録媒体の搬送が停止されると、高温となる定着部に記録媒体が停止したままとなるため、望ましくないが、記録媒体通過検知装置を前記のように構成することで、誤検知を確実に防止して、定着部に記録媒体が停止したままの状態になることを避けることができる。
【００２４】
前記課題を解決するためになされた第７の発明は、前記第５・第６の発明において、記録媒体に形成する画像の解像度を切り替え可能なものであり、前記制御手段が、画像の解像度に応じて前記監視期間の開始時点及び終了時点を設定する構成とする。
【００２５】
これによると、画像の解像度に応じて記録媒体の搬送速度が異なる場合に、監視期間の開始時点及び終了時点が実際の記録媒体の搬送状態とずれることを避けて、適切な制御を行うことができる。
【００２６】
前記課題を解決するためになされた第８の発明は、前記第５〜第７の発明において、記録媒体の両面に画像を形成するものである構成とする。
【００２７】
このような構成では、記録媒体に大きなカールが生じ易いため、通過センサにチャタリングが発生して、記録媒体の通過がないと判断する誤検知が発生し易くなるが、記録媒体通過検知装置を前記のように構成することで、誤検知を確実に避けることができる。
【００２８】
以下、本発明の実施の形態を、図面を参照しながら説明する。
【００２９】
図１は、本発明が適用される画像形成装置を示す概略構成図である。この画像形成装置１は、電子写真方式、すなわち帯電、露光、現像、転写及び定着の各プロセスを経て用紙（記録媒体）Ｓに画像を形成する画像形成部２を備え、この画像形成部２には、紙収容部３に収容された用紙Ｓが搬送経路Ｐ１・Ｐ２を経由して逐次送り込まれ、画像形成部２にて所要の画像が形成された用紙Ｓが排紙部４に排出される。
【００３０】
画像形成部２は、イエロー、マゼンタ、シアン、及び黒の各色のトナー像を形成する複数のプロセスユニット５〜８と、このプロセスユニット５〜８内の感光体ドラム５ａ〜８ａの作像面に対して露光用のレーザ光を走査するＬＳＵ（レーザ・スキャニング・ユニット）９と、感光体ドラム５ａ〜８ａ上に作像された各色のトナー像が順次転写される中間転写ベルト（像担持体）１０とを有し、各色の感光体ドラム５ａ〜８ａが中間転写ベルト１０に沿って並んで配置されたタンデム型の構造となっている。
【００３１】
プロセスユニット５〜８内では、帯電器５ｂ〜８ｂにより均一に帯電させた感光体ドラム５ａ〜８ａの作像面に対してＬＳＵ９から露光用のレーザ光が走査されることで静電潜像が形成され、この感光体ドラム５ａ〜８ａの静電潜像が、現像器５ｃ〜８ｃから供給される各色のトナーで現像されて各色のトナー像が感光体ドラム５ａ〜８ａの作像面に形成される。現像器５ｃ〜８ｃにはトナーボトル１１から各色のトナーが補給される。
【００３２】
感光体ドラム５ａ〜８ａ上に作像された各色のトナー像は、中間転写ベルト１０上に順次転写され、さらに転写部（２次転写部）１２において、中間転写ベルト１０と転写ローラ１３との間に送り込まれた用紙Ｓに転写される。そして、各色のトナー像が転写された用紙Ｓが搬送経路Ｐ３を経由して定着部１５に搬送され、ここで熱及び圧力の作用により用紙Ｓ上のトナー像を用紙Ｓに定着させる処理が行われる。
【００３３】
紙収容部３の用紙Ｓを画像形成部２に送り込む搬送経路Ｐ２上には、用紙Ｓを中間転写ベルト１０上の画像と同期を取って送り出すレジストローラ（搬送手段）１６が設けられている。定着部１５の入口には、転写部１２から搬送経路Ｐ３を経由して定着部１５に送り込まれる用紙Ｓの通過の有無を検知するための定着入口センサ（通過センサ）１８が設けられている。
【００３４】
またこの画像形成装置１は、用紙Ｓの両面に画像を形成する両面印刷が可能となっており、定着部１５を通過して排出経路Ｐ４に送り出された用紙Ｓの表裏を反転させて再度画像形成部２に送り込むスイッチバック部Ｐ５及び反転経路Ｐ６が設けられている。スイッチバック部Ｐ５では、定着部１５を出た用紙Ｓが搬送ローラ１９により引き込まれた後、その搬送ローラ１９を逆回転させることで用紙Ｓが反転経路Ｐ６に送り込まれる。この反転経路Ｐ６を搬送された用紙Ｓは、搬送経路Ｐ１との合流部を通過して搬送経路Ｐ２に送り込まれ、レジストローラ１６により位置合わせされた上で転写部１２に送り込まれる。
【００３５】
図２は、図１に示した定着部１５を詳細に示す断面図である。定着部１５は、用紙Ｓ上のトナーを熱定着させる定着ベルト２１と、この定着ベルト２１が巻き掛けられる加熱ローラ２２及び定着ローラ２３と、図示しないばねにより定着ローラ２３に圧接する向きに付勢された加圧ローラ２４と、加熱ローラ２２に対する定着ベルト２１の巻き掛け部分に対向配置されて電磁誘導作用により加熱ローラ２２を発熱させる電磁誘導加熱ユニット２５とを有しており、定着ベルト２１と加圧ローラ２４とによるニップ部に用紙Ｓが送り込まれ、熱及び圧力の作用で用紙Ｓ上のトナーが用紙Ｓに定着される。
【００３６】
定着入口センサ１８は、レバー（接触子）２６とフォトセンサ２７とを有している。レバー２６は、支軸３０に揺動可能に支持され、定着ベルト２１と加圧ローラ２４とによるニップ部の入口側に設けられた両側のガイド２８・２９間の搬送路を遮る起立位置と、用紙Ｓの通過を許容する伏臥位置との間で起伏するように設けられており、図示しないばねにより起立向きに付勢されている。
【００３７】
レバー２６には、フォトセンサ２７を遮光する遮光部３１が一体に設けられており、用紙Ｓがない通常の状態では、レバー２６が起立位置にあり、遮光部３１がフォトセンサ２７を遮光しないため、フォトセンサ２７からオフ信号が出力されるが、ガイド２８・２９間に進入した用紙Ｓに押されてレバー２６が伏臥位置に変位すると、遮光部３１がフォトセンサ２７を遮光して、フォトセンサ２７からオン信号が出力される。
【００３８】
図３は、図１に示した画像形成装置１における用紙通過検知及び用紙搬送制御に係る要部の概略構成を示す模式図である。レジストローラ１６はモータ３５により駆動され、レジストローラ１６に対するモータ３５からの動力の伝達を断続するレジストクラッチ３６と、モータ３５からの動力を変速して伝達する変速機構３７とが設けられており、このレジストクラッチ３６の断続動作及び変速機構３７の変速動作は制御部（制御手段）４１の用紙搬送制御部４３により制御される。
【００３９】
用紙搬送制御部４３では、中間転写ベルト１０上の画像と同期を取ってレジストローラ１６により用紙Ｓが送り出されるように、レジストローラ１６の近傍で用紙Ｓの位置を検出するレジストセンサの検知タイミングに基づいて、レジストクラッチ３６の断続動作が制御される。
【００４０】
また、画像形成部２では、高解像度（例えば１２００ｄｐｉ）と低解像度（例えば６００ｄｐｉ）とで切替可能であり、またカラーとモノクロとで切替可能であり、この画像の解像度とカラー及びモノクロの別に応じて画像形成部２のプロセス速度、すなわち用紙Ｓの搬送速度が異なる。このため、用紙搬送制御部４３では、画像の解像度とカラー及びモノクロの別に応じて搬送速度が切り替えられるように、変速機構３７の変速動作が制御される。
【００４１】
また、制御部４１の用紙通過検知部４２では、定着入口センサ１８の出力信号に基づいて用紙Ｓが通過した否かを判定する処理が行われ、用紙Ｓが通過すべきタイミングで用紙Ｓの通過がないものと判定されると、用紙搬送制御部４３に対して搬送停止の指示が行われ、これに応じて用紙搬送制御部４３では、レジストクラッチ３６をオフとしてレジストローラ１６による用紙Ｓの搬送を停止する。
【００４２】
ところで、片面印刷時あるいは両面印刷時の第１面の定着処理の場合には、図２に示したように、定着部１５に送り込まれる用紙Ｓに大きなカールは発生しないため、ガイド２８・２９間に進入した用紙Ｓに押されてレバー２６が伏臥位置に変位してフォトセンサ２７からオン信号が出力されるが、両面印刷時の第２面の定着処理の場合、特に薄紙で且つ第１面が高印字率で第２面が低印字率の場合には、用紙Ｓに大きなカールが発生して、レバー２６の先端側のガイド２８に沿うように用紙Ｓが通る場合がある。
【００４３】
この場合、用紙Ｓがレバー２６を十分に押すことができないため、レバー２６は起立したままで、フォトセンサ２７からはオフ信号が出力されたままとなり、あるいは用紙Ｓが波打つのに応じてレバー２６が僅かに変位するだけであり、フォトセンサ２７の出力信号がオン・オフを繰り返すチャタリングが発生する。このような状態では、用紙Ｓが通過する期間中、フォトセンサ２７の出力信号が常にオンとならないため、１つのタイミングのみで用紙Ｓの通過を検知する方法では、実際には用紙Ｓの通過があるにも拘わらず、用紙Ｓの通過がないものと判断する誤検知が発生する。
【００４４】
図４は、図１に示した画像形成装置１における両面印刷時の定着入口センサ１８の出力波形を示しており、（Ａ）は、正常時の定着入口センサ１８の出力波形を、（Ｂ−１）及び（Ｂ−２）は、チャタリング発生時の定着入口センサ１８の出力波形をそれぞれ示し、特に（Ｂ−２）は２面目を拡大して示している。
【００４５】
図４（Ａ）に示すように、正常時には、レジストクラッチ３６をオンとしてレジストローラ１６による用紙Ｓの搬送を開始させると、用紙Ｓの先端が定着入口センサ１８の位置に到達したところで定着入口センサ１８の出力信号がオンとなり、用紙Ｓの後端が通り抜けたところで定着入口センサ１８の出力信号がオフとなり、用紙Ｓが通過する間は定着入口センサ１８の出力信号が常時オンとなる。
【００４６】
一方、図２に示したように、両面印刷時の第２面の印刷時に、用紙Ｓに大きなカールが発生して用紙Ｓがレバー２６を十分に押すことができない状態では、図４（Ｂ−１）及び（Ｂ−２）に示すように、用紙Ｓが定着入口センサ１８の位置を通過する間、定着入口センサ１８の出力信号がオン・オフを繰り返すチャタリングが発生し、１つのタイミングのみで用紙Ｓの通過を検知する方法では、その検知タイミングで定着入口センサ１８の出力信号がオフとなっていると、実際には用紙Ｓの通過があるにも拘わらず、用紙Ｓの通過がないものと判断する誤検知が発生する。
【００４７】
そこで、このような定着入口センサ１８にチャタリングが発生している場合の誤検知を避けるため、制御部４１の用紙通過検知部４２では、以下のような制御が実施される。
【００４８】
図５は、図３に示した制御部４１で行われる用紙通過検知の要領を説明するタイミング図である。図６は、図３に示した制御部４１で用いられる監視開始時間Ｔ１の設定の要領を説明する模式図である。図７は、図３に示した制御部４１で用いられる監視終了時間Ｔ２の設定の要領を説明する模式図である。
【００４９】
制御部４１の用紙通過検知部４２では、所定の監視期間内で、定着入口センサ１８の出力信号が一度でもオンとなれば、用紙Ｓが通過しているものと判定し、監視期間内で定着入口センサ１８の出力信号が常にオフであれば、用紙Ｓが通過していないものと判定する。さらに、監視期間の開始時点で定着入口センサ１８の出力信号がオンであれば、以後の出力信号の状態に関係なく、用紙Ｓが通過したものと判定する。
【００５０】
すなわち、図５（Ａ）に示すように、監視期間の開始時点で定着入口センサ１８の出力信号がオフで、監視期間の途中で出力信号がオフからオンに変化したときは、その時点で用紙Ｓが通過したものと判定し、図５（Ｂ）に示すように、監視期間の開始時点で定着入口センサ１８の出力信号がオンであれば、その時点で用紙Ｓが通過したものと判定する。
【００５１】
監視期間は、レジストローラ１６が用紙Ｓの搬送を開始してから定着入口センサ１８の検出位置を用紙Ｓが通過することが予測される通過予測時間の範囲内で予め設定される。この監視期間を長く設定することで検知精度を向上させることができるが、監視期間を必要以上に長く設定することは制御部４１の演算負担を増大させるため、望ましくない。そこで、以下のように監視期間の開始時点及び終了時点を設定する。
【００５２】
監視期間の開始時点は、レジストローラ１６が用紙Ｓの搬送を開始する搬送開始時点を始点とした監視開始時間Ｔ１で定められ、この監視開始時間Ｔ１は第１のタイマーにより計時される。
【００５３】
ここでは、実験に基づいて、定着入口センサ１８の出力信号が確実にオンとなる領域内に監視期間の開始時点が入るように監視開始時間Ｔ１を設定する。具体的にはまず、図６に示すように、レジストクラッチ３６をオンとしてレジストローラ１６による用紙Ｓの搬送を開始してから定着入口センサ１８の出力信号がオンとなるまでに要する時間ＴONと、用紙Ｓの搬送を開始してから用紙Ｓの先端が定着入口センサ１８を通過し、定着入口センサ１８のチャタリングによって最初に定着入口センサ１８の出力信号がオフとなるまでに要する時間ＴOFFとを計測する。
【００５４】
そして、図６（Ｃ）に示すように、時間ＴONの最大値ＴON max、すなわち定着入口センサ１８の出力信号が最も遅いタイミングでオンとなるケースでの所要時間と、図６（Ｂ）に示すように、時間ＴOFFの最小値ＴOFF min、すなわち定着入口センサ１８の出力信号が最も早いタイミングでオフとなるケースでの所要時間を求め、このＴON maxとＴOFF minとの概ね中間となる値を監視開始時間Ｔ１に設定する。これにより、監視期間の開始時点に高い確率で定着入口センサ１８の出力信号がオンとなるようにすることができる。
【００５５】
監視期間の終了時点は、定着入口センサ１８の上流側の中間転写ベルト１０のニップ部でジャムを起こした用紙Ｓを作業者が手で把持して抜き取り可能な所要長さ（把持代）分だけ搬送経路上に用紙Ｓが残る位置で用紙Ｓを停止させることが可能なタイミングである。この監視期間の終了時点は、レジストローラ１６が用紙Ｓの搬送を開始する搬送開始時点を始点とした監視終了時間Ｔ２で定められ、この監視終了時間Ｔ２は第２のタイマーにより計時される。
【００５６】
転写部１２では、中間転写ベルト１０のニップ部を用紙Ｓが通過した後に中間転写ベルト１０からの用紙Ｓの剥離が適切に行われないことが原因でジャムが発生し易く、用紙Ｓが中間転写ベルト１０に張り付いて引き込まれることで搬送経路から逸脱する。このとき、用紙Ｓの後端部が搬送経路上に残っている状態で用紙Ｓの搬送を停止すれば、その搬送経路上に残った用紙Ｓの後端部を作業者が手で把持して抜き取ることができ、これによりジャム処理が容易になる。
【００５７】
そこで、搬送を開始してから所要長さの把持代Ｌ５分だけ搬送経路上に用紙Ｓが残る位置に用紙Ｓが到達するまでに要する時間を監視終了時間Ｔ２を設定し、この時点までに用紙Ｓの通過を検知することができなかった場合には、用紙Ｓの搬送を停止するものとする。
【００５８】
具体的には、搬送開始時点で、図７（Ａ）に示すように、用紙Ｓの先端がレジストローラ１６のニップ部に位置し、この搬送開始時点から、図７（Ｂ）に示すように、用紙Ｓの後端が把持代Ｌ５を搬送経路上に残した位置に到達するまでに要する時間、すなわちレジストローラ１６のニップ部から中間転写ベルト１０のニップ部までの距離Ｌ１に用紙Ｓの長さＬＳを加算した距離Ｌ１＋ＬＳから把持代Ｌ５を減算した距離Ｌ６（＝Ｌ１＋ＬＳ−Ｌ５）を用紙Ｓが移動するのに要する時間を監視終了時間Ｔ２に設定する。
【００５９】
また、画像の解像度とカラー及びモノクロの別に応じて用紙Ｓの搬送速度が異なるため、監視期間の開始時点及び終了時点を規定する監視開始時間Ｔ１及び監視終了時間Ｔ２は、画像の解像度とカラー及びモノクロの別に応じて設定される。
【００６０】
図８は、図３に示した制御部４１で行われる制御の手順を示すフロー図である。レジストクラッチ３６をオンとしてレジストローラ１６による用紙Ｓの搬送を開始してから監視開始時間Ｔ１が経過すると（ＳＴ１０１）、定着入口センサ１８の出力信号がオンか否かの判定が行われ（ＳＴ１０２）、ここで定着入口センサ１８の出力信号がオンであれば、用紙Ｓが正常に通過してジャムが発生していないものと判断する。
【００６１】
一方、定着入口センサ１８の出力信号がオフであれば（ＳＴ１０２でＮｏ）、監視終了時間Ｔ２が経過したか否かの判定が行われ（ＳＴ１０３）、監視終了時間Ｔ２が経過していなければ、次に定着入口センサ１８の出力信号がオンとなったか否かの判定が行われ（ＳＴ１０４）、ここで定着入口センサ１８の出力信号がオンであれば、用紙Ｓが正常に通過してジャムが発生していないものと判断する。
【００６２】
一方、定着入口センサ１８の出力信号がオフであれば（ＳＴ１０４でＮｏ）、監視終了時間Ｔ２が経過したか否かの判定（ＳＴ１０３）に戻り、定着入口センサ１８の出力信号がオフのままで監視終了時間Ｔ２が経過すれば、用紙Ｓの通過がなく、ジャムが発生したものと判断する。
【００６３】
このように、監視期間の開始時点で定着入口センサ１８の出力信号がオンであるか、あるいは監視期間の途中で定着入口センサ１８の出力信号が１度でもオフからオンに変化した場合には、それ以降の定着入口センサ１８の出力信号の如何に関係なく、用紙Ｓの通過があるものと判断し、監視期間が終了するまでに１度も出力信号がオンとならなければ、用紙Ｓの通過がないものと判断する。
【００６４】
以上のように、監視期間内で定着入口センサ１８の出力信号が一度でもオンとなれば、用紙Ｓが通過しているものと判定し、監視期間内で定着入口センサ１８の出力信号が常時オフであれば、用紙Ｓが通過していないものと判定するようにしたため、定着入口センサ１８の出力信号が頻繁にオン・オフを繰り返すチャタリング時でも、用紙Ｓの通過の有無を的確に検知することができる。そして、監視期間内で定着入口センサ１８の出力信号のオン・オフを監視すれば良く、制御手順を簡素化することができる。
【００６５】
また、監視期間の開始時点で定着入口センサ１８の出力信号がオンであれば、用紙Ｓが通過したものと判定するようしたため、早期に用紙Ｓの通過を検知することができ、以後の監視は不要となるため、制御部４１の演算負荷を軽減することができる。
【００６６】
また、実機で定着入口センサ１８にチャタリングが発生している状況での実験に基づいて、定着入口センサ１８の出力信号が高い確率でオンとなる領域内に入るように監視期間の開始時点を設定するようにしたため、搬送速度の変動やスリップなどの変動要因で定着入口センサ１８の検出位置を用紙Ｓが通過するタイミングが多少ずれることがあっても、このような誤差に関係なく、確実に用紙Ｓの通過を検知することができる。
【００６７】
また、監視期間の終了時点を、定着入口センサ１８の上流側でジャムを起こした用紙Ｓを作業者が手で把持して抜き取り可能な所要長さ分だけ搬送経路上に用紙Ｓが残る位置で用紙Ｓを停止させることが可能なタイミングとしたため、ジャムを起こした用紙Ｓを抜き取るジャム処理が容易になる。
【００６８】
また、用紙Ｓ上のトナーを熱及び圧力により用紙Ｓに定着させる定着部の入口に設けられた定着入口センサ１８において、実際には用紙Ｓが通過しているにも拘わらず用紙Ｓの通過がないと判断する誤検知が発生して、用紙Ｓの搬送が停止されると、高温となる定着部に用紙Ｓが停止したままとなるため、望ましくないが、前記のように構成することで、誤検知を確実に防止して、定着部に用紙Ｓが停止したままの状態になることを避けることができる。
【００６９】
また、画像の解像度に応じて監視期間の開始時点及び終了時点を設定するようにしたため、画像の解像度に応じて用紙Ｓの搬送速度が異なる場合に、監視期間の開始時点及び終了時点が実際の用紙Ｓの搬送状態とずれることを避けて、適切な制御を行うことができる。
【００７０】
また、用紙Ｓの両面に画像を形成する両面印刷時に、用紙Ｓに大きなカールが生じ易いため、定着入口センサ１８にチャタリングが発生して、用紙Ｓの通過がないと判断する誤検知が発生し易くなるが、前記のように構成することで、誤検知を確実に避けることができる。
【実施例】
【００７１】
以下、本発明に基づく実施例について説明する。
【００７２】
図９は、画像形成装置の各部の間隔距離及び搬送所要時間を示している。ここでは、図３に示したように、レジストローラ１６のニップ部から中間転写ベルト１０のニップ部までの距離Ｌ１、中間転写ベルト１０のニップ部から定着入口センサ１８までの距離Ｌ２、定着入口センサ１８から定着ベルト２１のニップ部までの距離Ｌ３、及びレジストローラ１６のニップ部から定着ベルト２１のニップ部までの距離Ｌ４（＝Ｌ１＋Ｌ２＋Ｌ３）を示す。
【００７３】
また、画像の解像度とカラー及びモノクロの別に応じて搬送速度が異なる３つの搬送モードごとに、距離Ｌ１〜Ｌ４を用紙Ｓが移動するのに要する搬送所要時間を示す。
【００７４】
図１０は、定着入口センサのオン及びオフまでの所要時間及び監視開始時間（第１タイマー設定値）の一例を示している。ここでは、３つの搬送モードごとに、図６に示したように、レジストクラッチ３６をオンとしてレジストローラ１６による用紙Ｓの搬送を開始してから定着入口センサ１８の出力信号がオンとなるまでに要する時間ＴONと、用紙Ｓの搬送を開始してから用紙Ｓの先端が定着入口センサ１８を通過し、定着入口センサ１８のチャタリングによって最初に定着入口センサ１８の出力信号がオフとなるまでに要する時間ＴOFFとを複数回計測した。
【００７５】
そして、前記の計測により取得した時間ＴONの最大値ＴON max、すなわち定着入口センサ１８の出力信号が最も遅いタイミングでオンとなるケースでの所要時間と、時間ＴOFFの最小値ＴOFF min、すなわち定着入口センサ１８の出力信号が最も早いタイミングでオフとなるケースでの所要時間を搬送速度ごとに求め、このＴON maxとＴOFF minとの概ね中間となる値を搬送速度ごとに監視開始時間Ｔ１に設定した。
【００７６】
なおここでは、温度及び湿度の異なる３つの環境条件、すなわちＬ／Ｌ（７℃／２０％）、Ｎ／Ｎ（実験室）、及びＨ／Ｈ（３０℃／８０％）の各条件で計測を行った。また、定着入口センサ１８のレバー２６のシート状先端部が正常なもの（新品）と、長期間の使用によるへたりが発生したものに相当するものとして、レバー２６のシート状先端部を下流側に折り曲げたものとを用いて計測を行った。
【００７７】
このようにして監視開始時間Ｔ１を設定することにより、定着入口センサ１８の出力信号が高い確率でオンとなる領域内に入るように監視期間の開始時点を設定することができるようになり、搬送速度の変動やスリップなどの変動要因で定着入口センサ１８の検出位置を用紙Ｓが通過するタイミングが多少ずれることがあっても、このような誤差に関係なく、確実に用紙Ｓの通過を検知することができる。
【００７８】
図１１は、用紙の後端が中間転写ベルトのニップ部に到達するまでの搬送所要時間を示している。ここでは、正常な状態で、最小サイズの用紙（ここではハガキ（長さＬＳ＝１４８ｍｍ））について、レジストクラッチ３６をオンとしてレジストローラ１６による用紙Ｓの搬送を開始してから用紙Ｓの後端が中間転写ベルト１０のニップ部に到達するまでに要する時間を計測した。これは、図７に示したように、レジストローラ１６のニップ部と中間転写ベルト１０のニップ部との離間距離Ｌ１に用紙Ｓの長さＬＳを加算した距離Ｌ１＋ＬＳを用紙Ｓが移動するのに要する時間である。
【００７９】
中間転写ベルト１０のニップ部でジャムを起こした用紙Ｓを作業者が手で把持して抜き取り可能な把持代（余裕長さ）Ｌ５を確保するには、図１１に示した搬送所要時間より監視終了時間Ｔ２を短く設定する必要がある。
【００８０】
図１２は、監視終了時間（第２タイマー設定値）の一例とその場合の用紙の後端が搬送経路上に残る余裕時間及び余裕長さを示している。ここでは、最小サイズの用紙（ここではハガキ（長さＬＳ＝１４８ｍｍ））について、搬送モードごとに設定された第２のタイマーの設定値、すなわち監視終了時間Ｔ２と、用紙Ｓの抜き取りのための把持代に相当する、中間転写ベルト１０のニップ部から用紙Ｓの後端が搬送経路上に残る余裕時間及び余裕長さを示す。この場合、把持代（余裕長さ）を６〜１１ｍｍ程度確保することができ、これより把持代を長く確保したい場合には監視終了時間（第２のタイマーの設定値）Ｔ２を短く設定すれば良い。
【産業上の利用可能性】
【００８１】
本発明にかかる記録媒体通過検知装置並びにこれを備えた記録媒体搬送装置及び画像形成装置は、通過センサにチャタリングが発生している場合でも、記録媒体の通過の有無を簡単に且つ的確に判定することができる効果を有し、通過センサの出力信号に基づいて記録媒体の通過の有無を検知する記録媒体通過検知装置並びにこれを備えた記録媒体搬送装置及び画像形成装置などとして有用である。
【図面の簡単な説明】
【００８２】
【図１】本発明が適用される画像形成装置を示す概略構成図
【図２】図１に示した定着部を詳細に示す断面図
【図３】図１に示した画像形成装置における用紙通過検知及び用紙搬送制御に係る要部の概略構成を示す模式図
【図４】図１に示した画像形成装置における両面印刷時の定着入口センサの出力波形を示す図
【図５】図３に示した制御部で行われる用紙通過検知の要領を説明するタイミング図
【図６】図３に示した制御部で用いられる監視開始時間Ｔ１の設定の要領を説明する模式図
【図７】図３に示した制御部で用いられる監視終了時間Ｔ２の設定の要領を説明する模式図
【図８】図３に示した制御部で行われる制御の手順を示すフロー図
【図９】画像形成装置の各部の間隔距離及び搬送所要時間を示す図
【図１０】定着入口センサのオン及びオフまでの所要時間及び監視開始時間（第１タイマー設定値）の一例を示す図
【図１１】用紙の後端が中間転写ベルトのニップ部に到達するまでの搬送所要時間を示す図
【図１２】監視終了時間（第２タイマー設定値）の一例とその場合の用紙の後端が搬送経路上に残る余裕時間及び余裕長さを示す図
【符号の説明】
【００８３】
１  画像形成装置
２  画像形成部
１０  中間転写ベルト
１２  転写部
１３  転写ローラ
１５  定着部
１６  レジストローラ（搬送手段）
１８  定着入口センサ（通過センサ）
２１  定着ベルト
２２  加熱ローラ
２３  定着ローラ
２４  加圧ローラ
２６  レバー
２７  フォトセンサ
２８・２９  ガイド
３５  モータ
３６  レジストクラッチ
３７  変速機構
４１  制御部（制御手段）
４２  用紙通過検知部
４３  用紙搬送制御部
Ｓ  用紙（記録媒体）
【図１】
2010175927.tif 000003
【図２】
2010175927.tif 000004
【図３】
2010175927.tif 000005
【図４】
2010175927.tif 000006
【図５】
2010175927.tif 000007
【図６】
2010175927.tif 000008
【図７】
2010175927.tif 000009
【図８】
2010175927.tif 000010
【図９】
2010175927.tif 000011
【図１０】
2010175927.tif 000012
【図１１】
2010175927.tif 000013
【図１２】
2010175927.tif 000014